【事件の表示】
　特願２００７−３０８５７７「放送受信装置」拒絶査定不服審判事件〔平成２１年　６月１８日出願公開、特開２００９−１３５６４６〕について、次のとおり審決する。
【結　論】
　本件審判の請求は、成り立たない。
【理　由】
第１　手続の経緯
１．手続
　本願は、平成１９年１１月２９日の出願であって、平成２５年１１月２１日付けで拒絶査定がなされ、これに対し、平成２６年２月２６日に拒絶査定不服審判が請求されたものである。
　
２．査定
　原査定の理由は、概略、以下のとおりである。 
　
　本願の請求項１，２，５に係る発明は、下記の刊行物１に記載された発明であるから、特許法第２９条第１項第３号に該当し、特許を受けることができない。また、本願の請求項１ないし請求項５に係る発明は、下記の刊行物１ないし２に記載された発明に基いて当業者が容易に発明をすることができたものであるから、特許法第２９条第２項の規定により、特許を受けることができない。
　
　　　　　記（刊行物）
　刊行物１：特表２００７−５３４２１８号公報
　刊行物２：特開２００６−１８６４４３号公報
　
第２　本願発明
　本願の請求項に係る発明は、本願明細書及び図面の記載からみて、それぞれ、その特許請求の範囲の請求項１ないし請求項８に記載した事項により特定されるものであると認められるところ、そのうち、請求項１に係る発明（以下、「本願発明」という）は次のとおりである。なお、本願発明の各構成の符号は便宜的に当審で付したものである。
　
（本願発明）
「Ａ　単一のチャンネルにおいて同一時間に複数の番組が放送されるマルチ編成サービスに対応したデジタル放送の放送受信装置であって、
Ｂ　前記デジタル放送の番組情報を取得する取得部と、
Ｃ　前記デジタル放送のチャンネルを選局する選局部と、
Ｄ　前記選局部で選局されたチャンネルの放送波を受信する受信部と、
Ｅ　前記取得部で取得した番組情報に基づき、前記受信部で受信する放送波が、第１の閾値時間以内に前記マルチ編成となるか否かを判定する判定部と、
Ｆ　前記判定部により、前記受信部で受信する放送波が、前記第１の閾値時間以内に前記マルチ編成となると判定された場合、前記受信部で受信する放送波がマルチ編成となる旨を通知するように制御する通知制御部と、
Ｇ　を具えることを特徴とする放送受信装置。」
　
第３　当審の判断
１．刊行物の記載
　原査定の拒絶の理由に引用された刊行物１である特表２００７−５３４２１８号公報には、「デジタル放送受信装置、方法、プログラム」（発明の名称）に関し、図面と共に次に掲げる事項が記載されている。
　
「【技術分野】
【０００１】
　本発明は、デジタル放送受信装置に関し、特にマルチ編成放送の技術に関する。
【背景技術】
【０００２】
　近年デジタル放送においてはマルチ編成放送サービスというサービスが行われている。マルチ編成放送サービスとはハイビジョン番組１チャンネルで標準画質の番組を最大３つまで放送できることを利用したサービスで、１放送局において１つのハイビジョン番組を放送する替わりに通常画質の放送を２つあるいは３つ、それぞれ別の内容の番組を放送するサービスである。
【０００３】
　マルチ編成放送を受信できる受信装置には、マルチ編成放送を受信して、それぞれの番組を同時に表示画面を分割して表示するものがある。」
　
「【発明を実施するための最良の形態】
【００２２】
＜実施の形態１＞
　以下、本発明の実施の形態１に係るデジタル放送受信装置、及び放送局について図面を用いながら説明する。
　＜概要＞
　本発明に係るデジタル放送受信装置は、マルチ編成放送が開始される所定時間前（例えば５分）に放送局から送られてくるダイジェスト映像を受信し、それらを一覧表示することでユーザにマルチ編成放送が開始されることを通知すると共に、そのマルチ編成で放送される各番組の内容を伝達する。
【００２３】
　＜構成＞
　図１は、実施の形態１に係るデジタル放送受信装置の機能構成を示した機能ブロック図である。以下、図１を用いてデジタル放送受信装置１００の各部の機能を説明していく。
　デジタル放送受信装置１００は、チューナー１０１、ＴＳデコード部１０２、視聴制御部１０３、録画再生制御部１０４、セクション解析部１０５、アプリ実行部１０６、アプリ表示部１０７、ＡＶデコード部１０８、操作受付部１０９、番組選択部１１０、番組情報表示部１１１、記憶部１２０を含んで構成される。
【００２４】
　また、デジタル放送受信装置１００は、放送を受信するためのアンテナ１３０と、デジタル放送受信装置１００にユーザが指示を出すためのリモコン１４０と、デジタル放送受信装置１００によって生成される音声を出力するスピーカ１５０と、デジタル放送受信装置１００によって生成される映像を表示するディスプレイ１６０とに接続されている。
　チューナー１０１は、アンテナ１３０を介して視聴制御部１０３の指示になるチャンネルのＴＳ（Transport Stream）を受信して、受信したデータをＴＳデコード部１０２に出力する機能を有する。
【００２５】
　ＴＳデコード部１０２は、チューナー１０１から受け取ったＴＳをフィルタリングして、ＡＶデコード部１０８及びセクション解析部１０５に出力する機能を有する。
　視聴制御部１０３は、番組選択部１１０から出力される選択チャンネルの放送をチューナー１０１に受信させ、ＴＳデコード部１０２に取得したＴＳをデコードさせＡＶデコード部１０８、及びセクション解析部１０５に出力させる機能を有する。」
　
「【００３０】
　番組情報表示部１１１は、放送局からダイジェスト映像が得られなかった場合に、記憶部１２０に記憶されているＥＰＧからマルチ編成放送で放送される番組の番組情報を抜き出して表示するためのデータを生成し、視聴制御部１０３に出力する機能を有する。
　記憶部１２０は、ＨＤＤや各種メモリなどで実現され、各種データを記憶する機能を有する。記憶部１２０は、特にアプリケーション１２１、番組情報１２２、ダイジェスト映像１２３を記憶することになる。アプリケーション１２１は、ダイジェスト映像を一覧表示するプログラムである。番組情報１２２は、予めデジタル放送受信装置１００が取得していたＥＰＧである。そしてダイジェスト映像１２３は、放送局からマルチ編成放送で番組が放送される場合に、その番組が始まる所定時間前に放送局から送信されてくる番組の内容を簡単に説明したダイジェスト映像である。また記憶部１２０は、録画再生部１０４で録画された番組のコンテンツを記憶しておく機能も有する。また、記憶部１２０は、DVD（Digital Versatile Disk）や、BD（Blu-ray Disk）などの光ディスクに代表される記録媒体からデータを読み出したり、書き込んだりする機能も有する。」
　
「【００３９】
　図４〜図８は、マルチ編成放送が始まる際にデジタル放送受信装置１００に接続されているディスプレイ１６０に表示される画面を表しており、それぞれの場面についてはデジタル放送受信装置１００の動作に絡めながら述べていく。
　＜動作＞
　ここではデジタル放送受信装置１００が放送を受信してディスプレイに表示する動作に関しては従来のデジタルテレビなどの構成と変わらないので説明を省略し、本発明に係るマルチ編成で番組の放送が行われる場合の処理について記述する。
【００４０】
　以下、デジタル放送受信装置１００のマルチ編成放送が開始されるときの動作について、図９、図１０のフローチャートを用いながら説明していく。
　デジタル放送受信装置１００は、放送局Ａから番組を受信し、ディスプレイに表示しているものとする。
　まず、ダイジェスト映像を一覧表示するまでの動作を、図９のフローチャートを用いて説明する。
【００４１】
　デジタル放送受信装置１００は、マルチ編成放送が始まる番組内容を確認するのに十分な所定時間前（例えば５分前）に放送局からマルチ編成放送が始まることを示すアプリケーションを含んだマルチ編成番組情報を受信する（ステップS９０１）。受信すると同時にTSに重畳されていたアプリケーションをアプリ実行部１０６が起動する（ステップS９０３）。アプリケーションプログラムに従って、ユーザにマルチ編成放送が開始されること表示する。そしてその後にユーザに対してマルチ編成放送の内容を知りたいかどうかを問う（ステップS９０５）。ユーザがリモコンを使って「確認しない」ことをユーザが選択した場合（ステップS９０５のNO）は、ＧＵＩが消えてそのまま今までユーザが見ていた番組が表示される。」
　
「【００４８】
　この動作を具体例を挙げて説明する。現在時刻は２０：５４で、図２の番組表にあるように、ユーザがプロ野球中継「オールスターＷチーム　ＶＳ　Ｅチーム」を見ていたとする。２２：５５になると、放送局からマルチ編成番組情報が放送している番組のTSに重畳されて送信され、デジタル放送受信装置１００はマルチ編成番組情報３００をTSとともに受信する。このマルチ編成番組情報は図３に示しているように、アプリケーションプログラムや、このアプリケーションプログラムの実行過程で表示されるダイジェスト映像のデータなどが含まれている。図３に示すように当該アプリケーションは、デジタル放送受信装置１００が受信すると同時に起動（Auto start）するように設定されている。
【００４９】
　上述したように、受信したデータにはアプリケーションの起動コードが含まれており、アプリ実行部１０６は、一度記憶部１２０に記憶されたアプリケーション１２１を記憶部１２０から読み出して起動する。起動したアプリケーションに従い、アプリ表示部１０７にまず図４にあるようにユーザに対してマルチ編成放送が開始されることと、その内容の確認を行うかどうかの問いかけをＧＵＩ４００の表示をもって行う。」
　
「【００５２】
　（省略）
＜実施の形態２＞
　実施の形態１においては、デジタル放送受信装置１００は、放送局から送信されてくるダイジェスト映像と共に送信されてくるアプリケーションを起動することとしていたが、実施の形態２においては別の起動方法を示す。以下、実施の形態１と異なる部分について説明して行く。
【００５３】
　＜構成＞
　図１１に実施の形態２に係るデジタル放送受信装置１１００の構成を示した。
実施の形態１におけるデジタル放送受信装置１００と異なる点は、デジタル放送受信装置１００の構成に加えて、監査部１１７０と計時部１１７１を備えていることである。
　監査部１１７０は、記憶部１１２０にある番組情報１１２２を常時監視しており、マルチ編成で番組の放送が行われるかどうかを番組情報であるＥＰＧを監視することで認識する機能を有する。
【００５４】
　また、計時部１１７１から日時を取得し、ＥＰＧを確認してマルチ編成で番組の放送が開始されることを認識している場合に、その番組が放送される開始時刻の５分前にアプリケーションを起動するようアプリ実行部１１０６に要求する機能も有する。
　アプリ実行部１１０６は、監査部１１７０からの要求を受けて記憶部１１２０にあるアプリケーション１１２１を読み出して実行する機能を有する。実施の形態１においてはマルチ編成で番組が放送される５分前に放送波に含まれていたアプリケーションを、取得と同時に自動的に起動することとしていたが、ここではアプリ実行部１１０６が、監査部１１７０の指示によって記憶しているアプリケーションを起動し、実行することになる。」
　
「【００５９】
　＜動作＞
　図１２は、アプリケーション１１２１を起動するまでのデジタル放送受信装置１１００の動作を示したフローチャートである。当該フローチャートに基づいてデジタル放送受信装置１１００の動作を説明する。ここでは実施の形態１と異なる点はアプリケーションの起動方法であるので、その部分についてのみ説明する。
【００６０】
　まず、監査部１１７０は、常にＥＰＧである番組情報１１２２を監視している。監視している内容は計時部１１７１で計時される現在時間で放送されている番組の次の番組がマルチ編成放送で放送されるかどうかを監視している（ステップＳ１２０１）。マルチ編成放送になるかどうかは、サブチャンネルの設定がなされているかどうかで認識できる。次の番組がハイビジョンで放送されるのならば（ステップＳ１２０１のＮＯ）、そのまま継続して監視を行う。
【００６１】
　次の番組がマルチ編成放送で放送されるのならば（ステップＳ１２０１のＹＥＳ）、マルチ編成放送で番組の放送が開始される時間を確認し、当該番組の開始時間の５分前になっているかを確認する（ステップＳ１２０３）。番組の開始５分前までは待機しており（ステップＳ１２０３のＮＯ）、番組の開始５分前になったら（ステップＳ１２０３のＹＥＳ）、監査部１１７０は、アプリ実行部１０６に対してダイジェスト映像の一覧表示を行うアプリケーション１１２１の起動命令を出力する。
【００６２】
　そしてアプリケーションの起動命令を受けたアプリ実行部１１０６は、アプリケーション１１２１を起動し、アプリケーションの内容に従って実施の形態１のように順次処理を行っていく。アプリケーションの処理内容については実施の形態１のものと変わらないので説明を省略する。」
　
２．引用発明
　ここで、上記刊行物１の記載について検討する。
　刊行物１に記載される＜実施の形態２＞は、「監査部１１７０」と「計時部１１７１」が追加されている点を除いて＜実施の形態１＞と同様とあるから（段落【００５３】）、以下、＜実施の形態１＞の記載も援用して刊行物１の＜実施の形態２＞に記載される発明を認定する。
　
（１）刊行物１の段落【０００１】〜【０００３】の記載によると、刊行物１には、「ハイビジョン番組１チャンネルで標準画質の番組を３つまで放送するマルチ編成放送サービスを受信できるデジタル放送受信装置」が記載されている。
　
（２）刊行物１の段落【００３０】には、「デジタル放送受信装置が番組情報（ＥＰＧ）を予め取得して記憶部に記憶」することが記載されている。
　
（３）刊行物１の段落【００２３】〜【００２５】の記載によると、刊行物１のデジタル放送受信装置は、「チューナーが受信するチャンネルを選択する番組選択部」を有する。
　
（４）刊行物１の段落【００２３】〜【００２５】の記載によると、刊行物１のデジタル放送受信装置は、「番組選択部から出力される選択チャンネルの放送を受信するチューナー」を有する。
　
（５）刊行物１の段落【００５３】，【００５４】，【００６０】，【００６１】，図１２等の記載によると、刊行物１のデジタル放送受信装置は、「番組情報（ＥＰＧ）を監視して、マルチ編成番組の放送が行われるかどうか、及びその番組の開始時間の５分前になっているかを確認する監査部」を有する。
　
（６）刊行物１の段落【００３９】〜【００４１】，【００４９】，【００６０】〜【００６２】，図４，図１２等の記載によると、刊行物１には、監査部がマルチ編成番組の放送が行われること（ステップＳ１２０１のＹＥＳ）、及びマルチ編成番組の開始時間の５分前になったこと（ステップＳ１２０３のＹＥＳ）を確認すると、アプリ実行部がアプリケーションを起動し、＜実施の形態１＞と同様に、図４にあるように、ディスプレイにユーザに対してマルチ編成放送が開始されることと、その内容の確認を行うかどうかの問いかけをＧＵＩ４００の表示をもって行うことが記載されている。
　つまり刊行物１のデジタル放送受信装置は、「監査部がマルチ編成番組の放送が行われること、及びマルチ編成番組の開始時間の５分前になったことを確認すると、ユーザに対してマルチ編成放送が開始されることと、その内容の確認を行うかどうかの問いかけを、ディスプレイにＧＵＩ４００の表示をもって行う」ものといえる。
　
（７）まとめ
　上記（１）ないし（６）によれば、刊行物１には次の発明（以下、「引用発明」という）が記載されていると認められる。
　
（引用発明）
「ハイビジョン番組１チャンネルで標準画質の番組を３つまで放送するマルチ編成放送サービスを受信できるデジタル放送受信装置であって、
　デジタル放送受信装置が番組情報（ＥＰＧ）を予め取得して記憶部に記憶し、
　チューナーが受信するチャンネルを選択する番組選択部と、
　番組選択部から出力される選択チャンネルの放送を受信するチューナーと、
　番組情報（ＥＰＧ）を監視して、マルチ編成番組の放送が行われるかどうか、及びその番組の開始時間の５分前になっているかを確認する監査部と、
を備え、
　監査部がマルチ編成番組の放送が行われること、及びマルチ編成番組の開始時間の５分前になったことを確認すると、ユーザに対してマルチ編成放送が開始されることと、その内容の確認を行うかどうかの問いかけを、ディスプレイにＧＵＩ４００の表示をもって行う、
　デジタル放送受信装置。」
　
３．対比
　本願発明と引用発明とを対比すると次のことが認められる。
　
（ａ）構成Ａについて
　引用発明は「ハイビジョン番組１チャンネルで標準画質の番組を３つまで放送するマルチ編成放送サービスを受信できるデジタル放送受信装置」であって、「ハイビジョン番組１チャンネル」は単一のチャンネルといえ、「ハイビジョン番組１チャンネルで標準画質の番組を３つまで放送するマルチ編成放送サービス」は、同一時間に複数の番組が放送されるマルチ編成サービスであることは明らかであるから、引用発明の上記構成は本願発明の『単一のチャンネルにおいて同一時間に複数の番組が放送されるマルチ編成サービスに対応したデジタル放送の放送受信装置』と相違しない。
　
（ｂ）構成Ｂについて
　引用発明は「デジタル放送受信装置が番組情報（ＥＰＧ）を予め取得して記憶部に記憶」するものであるから、デジタル放送受信装置が番組情報（ＥＰＧ）を取得する取得部を有しているということができる。
　また、引用発明の「番組情報（ＥＰＧ）」は、デジタル放送の番組情報であることは明らかである。
　よって、引用発明のデジタル放送受信装置は『前記デジタル放送の番組情報を取得する取得部』を備えている点において本願発明と相違しない。
　
（ｃ）構成Ｃについて
　引用発明の「チューナーが受信するチャンネルを選択する番組選択部」について検討すると、「チューナーが受信するチャンネル」はデジタル放送のチャンネルであり、「受信するチャンネルを選択する」ことは、チャンネルを選局することであるから、引用発明の上記構成は本願発明の『前記デジタル放送のチャンネルを選局する選局部』と相違しない。
　
（ｄ）構成Ｄについて
　引用発明の「番組選択部から出力される選択チャンネルの放送を受信するチューナー」について検討すると、上記（ｃ）で認定したように引用発明の「番組選択部」は本願発明の「選局部」に相当し、「選択チャンネルの放送を受信するチューナー」は選局されたチャンネルの放送波を受信する受信部であるといえるから、引用発明の上記構成は本願発明の『前記選局部で選局されたチャンネルの放送波を受信する受信部』と相違しない。
（ｅ）構成Ｅについて
　引用発明の「番組情報（ＥＰＧ）を監視して、マルチ編成番組の放送が行われるかどうか、及びその番組の開始時間の５分前になっているかを確認する監査部」について検討すると、「マルチ編成番組の放送が行われるかどうか、及びその番組の開始時間の５分前になっているかを確認する」ことは、５分という特定の時間以内にマルチ編成番組の放送が行われるかを確認することであって、マルチ編成番組の放送が行われるとは、放送波がマルチ編成となるということであり、５分という特定の時間は第１の閾値時間と言い換えて表現することができる。
　また、引用発明の「監査部」が「番組情報（ＥＰＧ）を監視して」所定の条件を満足したか確認することは、番組情報に基づいて所定の条件を満足したかの判定を行うものといえ、引用発明の「監査部」は判定部ということができる。
　よって、引用発明の上記構成は本願発明の『前記取得部で取得した番組情報に基づき、前記受信部で受信する放送波が、第１の閾値時間以内に前記マルチ編成となるか否かを判定する判定部』と相違しない。
　
（ｆ）構成Ｆについて
　本願発明の「放送波がマルチ編成となる旨を通知する」に関し、本願明細書の段落【００３２】，図４には、『図のように、マルチ編成番組の選択画面WNには、次番組がマルチ編成である旨が、例えば「9:00からはマルチ編成番組となります。」というメッセージで、マルチ編成番組の放送開始前に、事前にユーザに通知される。』と記載されており、マルチ編成となる旨の通知の一例として、画面に「9:00からはマルチ編成番組となります。」というメッセージを表示することが示されている。
　一方、引用発明は、「ユーザに対してマルチ編成放送が開始されることと、その内容の確認を行うかどうかの問いかけを、ディスプレイにＧＵＩ４００の表示をもって行う」ものであり、具体的には、刊行物１の図４に示されるように「マルチ編成放送が開始されます。内容の確認を行いますか？」の表示を行うものである。
　すなわち、引用発明のデジタル放送受信装置は、ディスプレイの画面に「マルチ編成放送が開始されます」と表示を行うことで、本願発明と同じく「放送波がマルチ編成となる旨を通知する」ものであるといえる。
　そして、引用発明のデジタル放送受信装置が、上記の通知表示の制御を行っているものであるから、そのような制御を行う通知制御部を有しているものといえる。
　また、引用発明は「監査部がマルチ編成番組の放送が行われること、及びマルチ編成番組の開始時間の５分前になったことを確認すると」、上記の通知表示を行うものであり、引用発明の「監査部」は、上記（ｅ）において認定したように、その動作を含め、本願発明の『判定部』に相当するものであるから、引用発明は、本願発明と同じく『前記判定部により、前記受信部で受信する放送波が、前記第１の閾値時間以内に前記マルチ編成となると判定された場合』に上記の通知表示を行うものといえる。
　したがって、引用発明の「監査部がマルチ編成番組の放送が行われること、及びマルチ編成番組の開始時間の５分前になったことを確認すると、ユーザに対してマルチ編成放送が開始されることと、その内容の確認を行うかどうかの問いかけを、ディスプレイにＧＵＩ４００の表示をもって行う」ことは、本願発明の『前記判定部により、前記受信部で受信する放送波が、前記第１の閾値時間以内に前記マルチ編成となると判定された場合、前記受信部で受信する放送波がマルチ編成となる旨を通知するように制御する通知制御部』を有するといえ、本願発明と相違しない。
　
（ｇ）構成Ｇについて
　引用発明の「デジタル放送受信装置」は、本願発明の『放送受信装置』と相違しない。
　
（ｈ）まとめ
　上記（ａ）ないし（ｇ）のとおりであるから、本願の請求項１に係る発明は、刊行物１に記載された発明と相違しない。
　
第４　むすび
　以上のように、本願の請求項１に係る発明は、刊行物１記載の発明であるから、特許法第２９条第１項第３号の規定により特許を受けることができない。
　したがって、本件出願は、その余の請求項について論及するまでもなく、拒絶をすべきものである。
　よって、結論のとおり審決する。